(57)【特許請求の範囲】
【請求項１】
複数の陸揚局が海底中継器を介して海底ケーブルで接続され、各々の前記陸揚局に、装置故障による警報と前記陸揚局近傍の海底中継器故障による警報の２種類の警報を検出する前記海底ケーブルの終端装置と、前記海底中継器の検査を行う検査装置と、該陸揚局内の装置を監視する監視装置とを有する光海底中継ケーブルシステムにおけるネットワーク監視システムであって、
更に、各々の前記陸揚局の前記監視装置がデータ通信ネットワーク網を介して相互に接続され、各々の前記監視装置に、自陸揚局の前記終端装置から通知された、自陸揚局内又は自陸揚局近傍の前記海底中継器の少なくとも一方で発生した警報を送信する手段と、他の陸揚局から送信された前記警報情報を受信し、該警報情報から、前記他の陸揚局内の装置故障に基づく警報と前記他の陸揚局近傍の前記海底中継器故障に基づく警報とを識別して取得する手段と、該警報に基づいて、故障の要因を特定する手段とを有することを特徴とするネットワーク監視システム。
【請求項２】
前記データ通信ネットワーク網を介して各々の前記陸揚局の前記監視装置間でデータ通信を行うことにより、各々の前記監視装置において、自陸揚局と対向する陸揚局との間の区間も監視可能とされることを特徴とする請求項１記載のネットワーク監視システム。
【請求項３】
前記データ通信ネットワーク網を介して各々の前記陸揚局の前記監視装置間でデータ通信を行うことにより、各々の前記監視装置において、前記光海底中継ケーブルシステム全体のネットワークビューが監視可能とされることを特徴とする請求項１又は２に記載のネットワーク監視システム。
【請求項４】
複数の陸揚局が海底中継器を介して海底ケーブルで接続され、各々の前記陸揚局に、装置故障による警報と前記陸揚局近傍の海底中継器故障による警報の２種類の警報を検出する前記海底ケーブルの終端装置と、前記海底中継器の検査を行う検査装置と、該陸揚局内の装置を監視する監視装置とを有する光海底中継ケーブルシステムにおけるネットワーク監視方法であって、
更に、各々の前記陸揚局の前記監視装置をデータ通信ネットワーク網を介して相互に接続し、警報を検知した一の陸揚局の前記監視装置では、対向する陸揚局から前記データ通信ネットワーク網を介して警報情報を受信し、該警報情報から、前記対向する陸揚局内の装置故障に基づく警報と前記他の陸揚局近傍の前記海底中継器故障に基づく警報とを識別して取得し、該警報に基づいて、故障の要因を特定することを特徴とするネットワーク監視方法。
【請求項５】
前記データ通信ネットワーク網を介して各々の前記陸揚局の前記監視装置間でデータ通信を行うことにより、各々の前記監視装置において、自陸揚局と対向する陸揚局との間の区間も監視することを特徴とする請求項４記載のネットワーク監視方法。
【請求項６】
前記データ通信ネットワーク網を介して各々の前記陸揚局の前記監視装置間でデータ通信を行うことにより、各々の前記監視装置において、前記光海底中継ケーブルシステム全体のネットワークビューを監視することを特徴とする請求項４又は５に記載のネットワーク監視方法。
【発明の詳細な説明】
【０００１】
【発明の属する技術分野】
本発明は、ネットワーク監視システム及びネットワーク監視方法に関し、特に、光海底中継ケーブルシステムにおける障害の要因を各陸揚局で特定することができるネットワーク監視システム及びネットワーク監視方法に関する。
【０００２】
【従来の技術】
近年、国際回線の需要が高まるにつれて、海底に敷設されたケーブルを用いてデータの通信を行う光海底中継ケーブルシステムが重要となってきている。この光海底中継ケーブルシステムは、各拠点に設けた陸揚局を光ファイバ等の海底ケーブルで繋いでデータの通信を行うものであり、例えば、特開２０００−１９６５３３号公報等には大容量の光信号を伝送可能なシステムについて記載されている。
【０００３】
このような海底ケーブルシステムにおいては、長距離の伝送を行うために各陸揚局の間には一定間隔で海底中継器が配置されており、また、回線品質を向上させるために、各陸揚局には海底中継器を検査する装置や各陸揚局の装置を監視する監視装置等が設けられている。これらの装置を用いることによって自局の装置の障害や自局と接続される海底中継器の障害を監視することができる。
【０００４】
そして、上記各陸揚局の情報を統合するネットワーク監視システムでは、図４に示すように、各ネットワークを構成する伝送装置の監視装置１０からそれぞれに情報をアップロードし、その情報を上位管理装置９で統合してネットワークビューを描いている。すなわち、各陸揚局の管理者は、その陸揚局内の情報だけを管理し、上位のネットワーク管理のビューは上位システムに依存しているという体系である。
【０００５】
【発明が解決しようとする課題】
しかしながら、上述した従来の光海底中継ケーブルシステムにおけるネットワーク監視システムでは、以下に示す問題があった。
【０００６】
すなわち、各拠点の陸揚局で作業する管理者は、自サイト内で発生した障害は監視装置によって認識することができるが、自サイト外で発生した障害がわからないため、伝送路上の通信障害は検出できても、その原因特定は障害を検出したサイト側では行えないということである。このような構成のネットワーク監視システムでは、障害に対して迅速に対応することができないため、各陸揚局においても装置管理だけでなくサブネットワーク管理まで行うことが望ましい。
【０００７】
一方、光海底中継ケーブルシステムにおけるネットワーク構成の記載として、給電の監視支援を行うシステムが開示されているが、このシステムは、各海底中継器の給電立ち上げ／立ち下げ作業を支援するために考案されたものであり、障害の要因特定を行うことはできず、障害の要因特定が可能なシステムの構築が求められている。
【０００８】
本発明は、上記問題点に鑑みてなされたものであって、その主たる目的は、光海底中継ケーブルのような主信号サブネットワーク管理、さらには、主信号ネットワーク全体の管理を実現できるネットワーク監視システム及びネットワーク監視方法を提供することにある。
【０００９】
【問題を解決するための手段】
上記目的を達成するため、本発明のネットワーク監視システムは、複数の陸揚局が海底中継器を介して海底ケーブルで接続され、各々の前記陸揚局に、装置故障による警報と前記陸揚局近傍の海底中継器故障による警報の２種類の警報を検出する前記海底ケーブルの終端装置と、前記海底中継器の検査を行う検査装置と、該陸揚局内の装置を監視する監視装置とを有する光海底中継ケーブルシステムにおけるネットワーク監視システムであって、更に、各々の前記陸揚局の前記監視装置がデータ通信ネットワーク網を介して相互に接続され、各々の前記監視装置に、自陸揚局の前記終端装置から通知された、自陸揚局内又は自陸揚局近傍の前記海底中継器の少なくとも一方で発生した警報を送信する手段と、他の陸揚局から送信された前記警報情報を受信し、該警報情報から、前記他の陸揚局内の装置故障に基づく警報と前記他の陸揚局近傍の前記海底中継器故障に基づく警報とを識別して取得する手段と、該警報に基づいて、故障の要因を特定する手段とを有するものである。
【００１０】
本発明においては、前記データ通信ネットワーク網を介して各々の前記陸揚局の前記監視装置間でデータ通信を行うことにより、各々の前記監視装置において、自陸揚局と対向する陸揚局との間の区間も監視可能とされる構成とすることができる。
【００１１】
また、本発明においては、前記データ通信ネットワーク網を介して各々の前記陸揚局の前記監視装置間でデータ通信を行うことにより、各々の前記監視装置において、前記光海底中継ケーブルシステム全体のネットワークビューが監視可能とされる構成とすることもできる。
【００１２】
また、本発明のネットワーク監視方法は、複数の陸揚局が海底中継器を介して海底ケーブルで接続され、各々の前記陸揚局に、装置故障による警報と前記陸揚局近傍の海底中継器故障による警報の２種類の警報を検出する前記海底ケーブルの終端装置と、前記海底中継器の検査を行う検査装置と、該陸揚局内の装置を監視する監視装置とを有する光海底中継ケーブルシステムにおけるネットワーク監視方法であって、更に、各々の前記陸揚局の前記監視装置をデータ通信ネットワーク網を介して相互に接続し、警報を検知した一の陸揚局の前記監視装置では、対向する陸揚局から前記データ通信ネットワーク網を介して警報情報を受信し、該警報情報から、前記対向する陸揚局内の装置故障に基づく警報と前記他の陸揚局近傍の前記海底中継器故障に基づく警報とを識別して取得し、該警報に基づいて、故障の要因を特定するものである。
【００１３】
このように、本発明は上記構成により、各陸揚局の監視装置の操作者が、その陸揚局と接続される伝送路障害の要因を特定することができ、また、主信号不正の要因を各陸揚局で認識することができ、主信号の不正に対して迅速に対応することができる。
【００１４】
【発明の実施の形態】
本発明に係る光海底中継ケーブルシステムにおけるネットワーク監視システムは、その好ましい一実施の形態において、複数の陸揚局が海底中継器を介して海底ケーブルで接続され、各々の陸揚局に海底ケーブル終端装置と海底中継器検査装置と監視装置とを有し、各々の監視装置がデータ通信ネットワーク網を介して相互に接続され、警報を検知した一の陸揚局の監視装置は、対向する陸揚局からデータ通信ネットワーク網を介して警報情報を受信し、該警報が対向する陸揚局内の装置障害に基づく警報か対向する陸揚局近傍の海底中継器の障害に基づく警報かを識別して障害の要因を特定する。
【００１５】
以下、図１を参照して説明する。図１は、光海底ケーブル終端装置２ａ、２ｂとその監視装置１ａ、１ｂ、海底中継器検査装置３ａ、３ｂを含む陸揚局Ａ、Ｂ、および光海底中継器４ａ、４ｂ、４ｃを含む海底中継区間と、各陸揚局の監視装置１ａ、１ｂを結ぶデータ通信ネットワーク５とからなる光海底中継ケーブルシステムの構成を模式的に示す図である。
【００１６】
ここで、陸揚局Ｂの監視装置１ｂは、陸揚局Ｂの装置情報を管理している。本実施形態では、陸揚局Ｂの監視装置１ｂの操作者に、海底中継区間をサブネットワークとして管理させるために対向する陸揚局Ａの監視情報をデータ通信ネットワーク５を介して受信させることを特徴としており、陸揚局Ａ−Ｂを結ぶ区間もサブネットワークとして管理することが可能となる。また、海底中継器検査装置３ａ、３ｂからの情報を利用することにより、両陸揚局の監視装置の操作者に詳細なネットワーク監視のビューを与えることを可能にする。
【００１７】
【実施例】
上記した本発明の実施の形態についてさらに詳細に説明すべく、本発明の実施例について図面を参照して説明する。
【００１８】
［実施例１］
まず、本発明の第１の実施例に係る光海底中継ケーブルシステムにおけるネットワーク監視システム及びネットワーク監視方法について、図１乃び図２を参照して説明する。図１は、陸揚局Ａ、Ｂ、及び海底中継区間、データ通信ネットワーク５から構成される光海底中継ケーブルシステムを模式的に示す図であり、図２は、本実施例のネットワーク監視システムを用いた警報の要因特定手順を示すフローチャート図である。
【００１９】
図１において、光海底中継ケーブルシステムの海底ケーブル終端装置２ａ、２ｂは、装置故障による装置警報と受信信号の不正による伝送路警報の２種類の警報を検出し、監視装置１ａ、１ｂに伝えることが可能である。ここで、伝送路警報は、信号不正の検出によって判断するため、受信側の検出しか行えない。また、海底中継器検査装置３ａ、３ｂは、送出信号を各中継器４ａ、４ｂ、４ｃにて反射させた戻り信号不正の検出によって判断するため、送信側の海底中継器検査装置においてのみ中継器故障を検出することが可能である。
【００２０】
いま、陸揚局Ａの装置故障によりＡ→Ｂの信号断が発生すると、陸揚局Ｂでは自局内の装置故障は認めないが伝送路警報を検出する。また、海底中継区間の中継器故障によりＡ→Ｂの信号断が発生した場合にも同様に伝送路警報を検出する。このとき、陸揚局Ｂの監視装置１ｂは、陸揚局Ａの監視装置１ａからデータ通信ネットワーク５を介して装置故障情報、中継器故障情報を受信する動作をすることにより、操作者に対して発生している伝送路警報の要因を伝達することが可能になる。
【００２１】
次に、図１及び図２のフローチャートを参照して本実施例の全体の動作について詳細に説明する。
【００２２】
まず、図２のステップＳ１０１において、陸揚局Ｂの海底ケーブル終端装置２ｂが伝送路警報を検出し、監視装置１ｂに通知が上がる。この時点では、陸揚局Ｂは自局の装置故障はなく、海底中継区間を含む伝送路より上流に何らかの障害があることのみが監視装置１ｂにて把握することができる。次に、ステップＳ１０２において、陸揚局Ｂの監視装置１ｂは、警報が発生している伝送路の対向局（陸揚局Ａ）の海底ケーブル終端装置２ａの装置警報を陸揚局Ａの監視装置１ａから取得する。
【００２３】
ここで、ステップＳ１０３において、もし、対向局（陸揚局Ａ）の海底ケーブル終端装置２ａに装置警報が上がっていれば、陸揚局Ｂの監視装置１ｂに要因として対向局装置故障を通知する（ステップＳ１０４参照）。さらに、ステップＳ１０５において、海底中継区間のチェックを陸揚局Ａに要求し、海底中継器の故障検査を実施した結果をデータ通信ネットワーク５を介して陸揚局Ａから受け取り、中継器故障が検出されていれば、要因として中継器故障を通知する（ステップＳ１０６参照）。
【００２４】
このように、本実施例の光海底中継ケーブルシステムにおけるネットワーク監視システム及びネットワーク監視方法によれば、データ通信ネットワーク５を介して、対向局の監視装置から警報情報を取得することができるため、警報の内容が対向局の装置故障によるものなのか、又は、海底中継器の故障によるものなのかを把握することができ、警報に対して迅速に対応することが可能となる。
【００２５】
［実施例２］
次に、本発明の第２の実施例に係る光海底中継ケーブルシステムにおけるネットワーク監視システム及びネットワーク監視方法について、図３を参照して説明する。図３は、４つの陸揚局１〜４からなる光海底中継ケーブルシステムの構成を模式的に示す図である。
【００２６】
図３を参照すると、本実施例のネットワーク監視システムは、４つの陸揚局のそれぞれに主信号ネットワークの終端装置６と各サイトの監視装置１とが存在し、リング構成のネットワークを構成している。各陸揚局の監視装置１は、自局内の主信号装置の監視を行う機能を有している。そして、各陸揚局の監視装置１で監視データ通信ネットワーク８を構築し、監視データを各陸揚局で共有することにより、各サイトの監視者に対してネットワークビューを提供することができる。
【００２７】
たとえば、陸揚局１から２を経由して３に至る伝送路Ｐ１があるとする。陸揚局３の終端点２において主信号の不正が検出されたとき、陸揚局３の監視装置１は、陸揚局２の監視装置１に対して要因の特定を求める。陸揚局２で要因が特定されなかった場合、陸揚局１の監視装置１に対して要因の特定を求める。このようにして、陸揚局３で検出された主信号不正の要因が、ネットワーク上のどこで発生した原因に基づいているのかを、各陸揚局の監視装置１の操作者が認識することが可能である。
【００２８】
このように、本実施例の光海底中継ケーブルシステムにおけるネットワーク監視システム及びネットワーク監視方法によれば、リング構成のネットワークを構成している各々の陸揚局の監視装置１で監視データ通信ネットワークを構築し、監視データを通信ネットワーク８を介して共有することにより、主信号不正の要因を各陸揚局で認識することができ、主信号の不正に対して迅速に対応することができる。
【００２９】
【発明の効果】
以上説明したように、本発明の光海底中継ケーブルシステムにおけるネットワーク監視システム及びネットワーク監視方法によれば、各陸揚局の監視装置の操作者が、その陸揚局と接続される伝送路障害の要因を特定することができ、警報に対して迅速に対応することが可能となる。
【００３０】
その理由は、対向局の装置情報、中継器検査結果をデータ通信ネットワークを介して受信することができるからである。
【００３１】
また、本発明の光海底中継ケーブルシステムにおけるネットワーク監視システム及びネットワーク監視方法によれば、主信号不正の要因を各陸揚局で認識することができ、主信号の不正に対して迅速に対応することができる。
【００３２】
その理由は、リング構成のネットワークを構成している各々の陸揚局の監視装置で監視データ通信ネットワークを構築し、監視データを通信ネットワークを介して共有することができるからである。
【図面の簡単な説明】
【図１】本発明の第１の実施例に係る光海底中継ケーブルシステムにおけるネットワーク監視システムの構成を模式的に示す図である。
【図２】本発明の第１の実施例に係るネットワーク監視システムにおける警報の要因特定の手順を示すフローチャート図である。
【図３】本発明の第２の実施例に係る光海底中継ケーブルシステムにおけるネットワーク監視システムの構成を模式的に示す図である。
【図４】従来の光海底中継ケーブルシステムの構成を模式的に示す図である。
【符号の説明】
１，１ａ、１ｂ  監視装置
２ａ、２ｂ  海底ケーブル終端装置
３ａ、３ｂ  海底中継器検査装置
４ａ、４ｂ、４ｃ  海底中継器
５  データ通信ネットワーク
６  ネットワーク終端装置
７  主信号ライン
８  監視データ通信ネットワーク
９  上位管理装置
１０  電送装置管理装置
【図１】
0003685254.tif 000002
【図２】
0003685254.tif 000003
【図３】
0003685254.tif 000004
【図４】
0003685254.tif 000005